(57)【特許請求の範囲】
【請求項１】
マルチキャリア変復調方式を採用するＴＤＤ方式の無線通信システムであって、
送信側の通信装置が、
自装置の受信信号に基づく所定の推定処理により得られる伝搬路のマルチパス遅延時間に基づいて、データサブキャリアに対してマッピング処理を実行するマッピング手段と、
前記マルチパス遅延時間により得られるガードバンドに関する情報に応じて、データサブキャリア上の信号に付加するガードバンド量を変化させるガードバンド付加手段と、
ガードバンド付加後の周波数軸信号を時間軸信号へ変換する逆フーリエ変換手段と、
前記時間軸信号にガードインターバルを付加するガードインターバル付加手段と、
を備え、
受信側の通信装置が、
受信信号である時間軸信号からガードインターバルを除去することにより、ガードインターバル内におけるマルチパスを除去するガードインターバル除去手段と、
ガードインターバル除去後の時間軸信号を周波数軸信号に変換して出力するフーリエ変換手段と、
前記フーリエ変換手段により出力された周波数軸信号を入力し、前記マルチパス遅延時間により得られるガードバンドに関する情報に基づいて、前記ガードインターバル除去手段により除去されたガードインターバルを超える遅延波として当該周波数軸信号に含まれるマルチパスを抑圧する等化手段と、
前記マルチパス遅延時間に基づいて、等化後の信号に対してデマッピング処理を実行するデマッピング手段と、
を備え、
前記送信側の通信装置におけるガードバンド付加手段は、
マルチパス遅延時間の増加に伴ってガードバンド量を増大させ、
さらに、複数ユーザにおけるマルチパス遅延時間の最大値の増加に伴ってガードバンド量を増大させる、
ことを特徴とする無線通信システム。
【請求項２】
マルチキャリア変復調方式として、ＯＦＤＭＡ（Orthogonal  Frequency  Division  Multiplex  Access）方式を採用することを特徴とする請求項１に記載の無線通信システム。
【請求項３】
マルチキャリア変復調方式として、ＯＦＣＤＭ（Orthogonal  Frequency  and  Code  Division  Multiplexing）方式またはＭＣ−ＣＤＭＡ（Multi-Carrier  -  Code  Division  Multiple  Access）方式を採用することを特徴とする請求項１に記載の無線通信システム。
【請求項４】
マルチキャリア変復調方式を採用するＴＤＤ方式の無線通信システムであって、
送信側の通信装置が、
自装置の受信信号に基づく所定の推定処理により得られる伝搬路のマルチパス遅延時間に基づいて、データサブキャリアに対してマッピング処理を実行するマッピング手段と、
前記マルチパス遅延時間により得られるガードバンドに関する情報に応じて、データサブキャリア上の信号に付加するガードバンド量を変化させるガードバンド付加手段と、
ガードバンド付加後の周波数軸信号を時間軸信号へ変換する逆フーリエ変換手段と、
前記時間軸信号にガードインターバルを付加するガードインターバル付加手段と、
を備え、
受信側の通信装置が、
受信信号である時間軸信号からガードインターバルを除去することにより、ガードインターバル内におけるマルチパスを除去するガードインターバル除去手段と、
ガードインターバル除去後の時間軸信号を周波数軸信号に変換して出力するフーリエ変換手段と、
前記フーリエ変換手段により出力された周波数軸信号を入力し、前記マルチパス遅延時間により得られるガードバンドに関する情報に基づいて、前記ガードインターバル除去手段により除去されたガードインターバルを超える遅延波として当該周波数軸信号に含まれるマルチパスを抑圧する等化手段と、
前記マルチパス遅延時間に基づいて、等化後の信号に対してデマッピング処理を実行するデマッピング手段と、
を備え、
前記送信側および前記受信側の通信装置が、
さらに、前記マルチパス遅延時間に応じて適応的に変調符号化則を選択する変調符号化則選択手段、
をそれぞれ備え、
前記送信側および受信側の通信装置における各手段は、前記マルチパス遅延時間に応じて選択された変調符号化則に基づいた処理を実行する、
ことを特徴とする無線通信システム。
【請求項５】
マルチキャリア変復調方式を採用するＴＤＤ方式の無線通信システムを構成するデータ送信側の通信装置であって、
データ受信側の通信装置から受信した信号に基づく所定の推定処理により得られる伝搬路のマルチパス遅延時間に基づいて、データサブキャリアに対してマッピング処理を実行するマッピング手段と、
前記マルチパス遅延時間により得られるガードバンドに関する情報に応じて、データサブキャリア上の信号に付加するガードバンド量を変化させるガードバンド付加手段と、
ガードバンド付加後の周波数軸信号を時間軸信号へ変換する逆フーリエ変換手段と、
前記時間軸信号にガードインターバルを付加するガードインターバル付加手段と、
を備え、
前記ガードバンド付加手段は、
マルチパス遅延時間の増加に伴ってガードバンド量を増大させ、
さらに、複数ユーザにおけるマルチパス遅延時間の最大値の増加に伴ってガードバンド量を増大させる、
ことを特徴とする通信装置。
【請求項６】
マルチキャリア変復調方式を採用するＴＤＤ方式の無線通信システムを構成するデータ送信側の通信装置であって、
データ受信側の通信装置から受信した信号に基づく所定の推定処理により得られる伝搬路のマルチパス遅延時間に基づいて、データサブキャリアに対してマッピング処理を実行するマッピング手段と、
前記マルチパス遅延時間により得られるガードバンドに関する情報に応じて、データサブキャリア上の信号に付加するガードバンド量を変化させるガードバンド付加手段と、
ガードバンド付加後の周波数軸信号を時間軸信号へ変換する逆フーリエ変換手段と、
前記時間軸信号にガードインターバルを付加するガードインターバル付加手段と、
を備え、
さらに、前記マルチパス遅延時間に応じて適応的に変調符号化則を選択する変調符号化則選択手段、
を備え、
前記各手段は、前記マルチパス遅延時間に応じて選択された変調符号化則に基づいた処理を実行する、
ことを特徴とする通信装置。
【請求項７】
マルチキャリア変復調方式を採用するＴＤＤ方式の無線通信システムを構成するデータ受信側の通信装置であって、
請求項６に記載の送信側の通信装置から受信した信号である時間軸信号からガードインターバルを除去することにより、ガードインターバル内におけるマルチパスを除去するガードインターバル除去手段と、
ガードインターバル除去後の時間軸信号を周波数軸信号に変換して出力するフーリエ変換手段と、
前記フーリエ変換手段により出力された周波数軸信号を入力し、伝搬路のマルチパス遅延時間により得られるガードバンドに関する情報に基づいて、前記ガードインターバル除去手段により除去されたガードインターバルを超える遅延波として当該周波数軸信号に含まれるマルチパスを抑圧する等化手段と、
前記マルチパス遅延時間に基づいて、等化後の周波数信号に対してデマッピング処理を実行するデマッピング手段と、
を備え、
さらに、前記マルチパス遅延時間に応じて適応的に変調符号化則を選択する変調符号化則選択手段、
を備え、
前記各手段は、前記マルチパス遅延時間に応じて選択された変調符号化則に基づいた処理を実行する、
ことを特徴とする通信装置。
【発明の詳細な説明】
【技術分野】
【０００１】
本発明は、マルチキャリア変復調方式を採用する無線通信システムに関するものであり、特に、マルチパス遅延時間が変化する通信環境で動作する通信装置に関するものである。
【背景技術】
【０００２】
従来から使用されている無線通信方式の一例として、ＯＦＤＭ（Orthogonal  Frequency  Division  Multiplexing）方式およびＤＭＴ（Discrete  Multi-tone)方式に代表されるマルチキャリア変復調方式がある。このマルチキャリア変復調方式は、たとえば、無線ＬＡＮ，ＡＤＳＬ等に利用され、複数の周波数に直交したキャリアを配置し伝送する方式である。本方式では、送受信機間の伝搬路等により生じる遅延波（GB）の影響を除去するため、ガードインターバル（Guard  Interval）もしくはサイクリックプレフィックス（Cyclic  Prefix）を用いている。受信機では、たとえば、ガードインターバルを除いたＯＦＤＭシンボルに対してＦＦＴを行うことによりガードインターバル内の遅延波の影響を除去し、データを復調している。【０００３】
一方で、上記ＯＦＤＭ方式は、ガードインターバルを超える遅延波が到来する状態においては符号間干渉が発生し、それに伴って、特性が大幅に劣化する。この問題は、送信機側で想定される遅延時間より長いガードインターバルを付加することにより解決できるが、この処理により、ガードインターバルのオーバヘッドが増加し、伝送効率が低下する。【０００４】
また、セルラーシステムにおいては、たとえば、基地局と端末との距離が遠い場合、遅延時間が長くなり、基地局と端末との距離が近い場合は、遅延時間が短くなる。すなわち、セルラーシステムにおいては、端末の位置や環境により最適なガードインターバルの長さは異なる。【０００５】
上記のような、ガードインターバルを超える遅延波が到来する場合、および端末の位置や環境により最適なガードインターバルの長さが異なる場合、に対応した従来技術としては、たとえば、下記特許文献１に記載の「ＯＦＤＭ通信システムおよびＯＦＤＭ通信方法」がある。下記特許文献１では、従来固定長としていたガードインターバル長を、マルチパス遅延時間に応じて適応的に制御することにより、最大伝送効率を実現している。【０００６】
【特許文献１】特開２００２−３７４２２３号公報
【発明の開示】
【発明が解決しようとする課題】
【０００７】
ここで、上記特許文献１の問題点について説明する。図９は、可変ガードインターバルを用いた場合の信号例を示す図であり、詳細には、マルチパス遅延時間が変化した場合の信号を示し、横軸は時間：ｔを表し、縦軸は、上図がマルチパス遅延時間（Normalized  max  delay  time）：Ｌcを表し、下図が周波数方向のサブキャリア（sub-carrier）を表している。図９により、マルチパス遅延時間が、時間変化とともに「中→小→大」と変化していることがわかる。また、信号は、データ情報を含むＳｙｍとガードインターバルＧＩ（ガードインターバル長ＬGI）で構成され、「Ｌc≦ＬGI」であり、ＬcにあわせてＬGIが変化していることがわかる。しかしながら、上記特許文献１に記載の従来技術では、適応制御によりＯＦＤＭシンボル長が変化するため、ハードウェア構成が複雑となる、という問題があった。【０００８】
本発明は、上記に鑑みてなされたものであって、簡易なハードウェア構成でマルチパス遅延時間の変化に対応可能な通信装置を提供することを目的とする。
【課題を解決するための手段】
【０００９】
上述した課題を解決し、目的を達成するために、本発明にかかる無線通信システムは、マルチキャリア変復調方式を採用する無線通信システムであって、送信側の通信装置が、所定の推定処理により得られる伝搬路のマルチパス遅延時間に基づいて、データサブキャリアに対してマッピング処理を実行するマッピング手段（後述する実施の形態のData-Controlモジュール１およびDataモジュール２に相当）と、前記マルチパス遅延時間により得られるガードバンドに関する情報に応じて、データサブキャリア上の信号に付加するガードバンド量を変化させるガードバンド付加手段（GB-Controlモジュール３およびGB-Addモジュール４に相当）と、を備え、受信側の通信装置が、前記マルチパス遅延時間により得られるガードバンドに関する情報に基づいて、ガードインターバル（ガードインターバルを付加しない場合を含む）を超えるマルチパスを抑圧する等化手段（GB-Controlモジュール１３およびGB-FEQモジュール１４に相当）と、前記マルチパス遅延時間に基づいて、等化後の信号に対してデマッピング処理を実行するデマッピング手段（Data-Controlモジュール１５およびDecモジュール１６）と、を備えることを特徴とする。
【発明の効果】
【００１０】
本発明にかかる無線通信システムにおいては、伝搬路におけるマルチパス遅延時間に応じてガードバンド量を変化させることとしたので、シンボル長を変化させない簡易なハードウェア構成で、到来するマルチパスの遅延時間の変化に追従することができる、という効果を奏する。
【図面の簡単な説明】
【００１１】
【図１】図１は、本発明にかかる無線通信システムの構成例を示す図である。
【図２】図２は、ガードバンドを付加した信号例を示す図である。
【図３】図３は、ガードバンドを付加した信号例を示す図である。
【図４】図４は、ガードバンドを付加した信号例を示す図である。
【図５】図５は、本発明にかかる無線通信システムの構成例を示す図である。
【図６】図６は、MCS-Controlモジュールで用いる変調符号化則の一例を示す図である。
【図７】図７は、本発明にかかる無線通信システムの構成例を示す図である。
【図８】図８は、MCS-Controlモジュールで用いる変調符号化則の一例を示す図である。
【図９】図９は、可変ガードインターバルを用いた場合の信号例を示す図である。
【符号の説明】
【００１２】
１，１ａ，１５，１５ａ  Data-Controlモジュール
２  Dataモジュール
３，３ａ，１３，１３ａ  GB-Controlモジュール
４  GB-Addモジュール
５  IFFTモジュール
６  GB-Addモジュール
７ａ，１７ａ  MCS-Controlモジュール
８ｂ，１８ｂ  Rate-Controlモジュール
１１  GI-Removalモジュール
１２  FFTモジュール
１４  GB-FEQモジュール
１６  Decモジュール
【発明を実施するための最良の形態】
【００１３】
以下に、本発明にかかる無線通信システムおよび通信装置の実施の形態を図面に基づいて詳細に説明する。なお、この実施の形態によりこの発明が限定されるものではない。【００１４】
実施の形態１．
図１は，本発明にかかる無線通信システムの構成例、すなわち、データ送信側の通信装置およびデータ受信側の通信装置の構成例を示す図であり、送信側の通信装置（変調器に相当）は、Data-Controlモジュール１と、Dataモジュール２と、GB-Controlモジュール３と、GB-Addモジュール４と、IFFTモジュール５と、GB-Addモジュール６と、を備え、受信側の通信装置（復調器に相当）は、GI-Removalモジュール１１と、FFTモジュール１２と、GB-Controlモジュール１３と、GB-FEQモジュール１４と、Data-Controlモジュール１５と、Decモジュール１６と、を備えている。【００１５】
ここで、上記無線通信システムを構成する各モジュールの基本動作を簡単に説明する。Data-Controlモジュール１，１５は、データサブキャリアの位置，量を指示する。Dataモジュール２は、送信データを符号化し、Data-Controlモジュール１の指示により周波数軸上のデータサブキャリアにマッピングする。GB-Controlモジュール３，１３は、ガードバンド（GB：Guard    Band）の種別，位置，量を指示する。GB-Addモジュール４は、GB-Controlモジュール３の指示によりDataモジュール１から出力されたデータサブキャリアにガードバンドを付加する。IFFTモジュール５は、周波数軸信号を時間軸信号へ変換する。GI-Addモジュール６は、時間軸信号にガードインターバルを付加する。GI-Removalモジュール１１は、受信信号からガードインターバルを除去する。FFTモジュール１２は、時間軸信号を周波数軸信号に変換する。GB-FEQモジュール１４は、GB-Controlモジュール１３の指示によりガードバンドを用いた周波数等化を行い、ガードインターバルを超える遅延波を抑圧する。Decモジュール１６は、Data-Controlモジュール１５の指示によりデータサブキャリアを復調（デマッピング処理）し、誤り訂正等の復号処理を行う。【００１６】
つづいて、本実施の形態の特徴的な動作について説明する。本実施の形態においては、Data-Controlモジュール１およびGB-Controlモジュール３が、伝搬路のマルチパス遅延時間に応じてデータサブキャリア，ガードバンドを制御する。具体的には、たとえば、TDD（Time  Division  Duplex）システムの場合には、自局受信信号から伝搬路のマルチパス遅延時間を推定し、FDD（Frequency  Division  Duplex）システムの場合には、相手局においてマルチパス遅延時間を推定し、フィードバックされたマルチパス遅延時間を得る。そして、伝搬路のマルチパス遅延の増加に応じて通信品質が劣化することを利用して、フレーム誤り率，最小２乗距離等の通信品質を推定するパラメータに基づいて、データサブキャリア，ガードバンドを制御する。【００１７】
なお、上記ガードバンドとは、受信側で伝送内容が既知であるサブキャリアの総称であり、データを送信しないヌルキャリア、固定データを送信するパイロットキャリア、等が該当する。【００１８】
また、GB-FEQとは、ガードバンドを用いてガードインターバルを超えるマルチパスを抑圧する周波数等化装置であり、たとえば、「岡崎他“ガードインターバルを超えるマルチパスに対する周波数等化の一検討”、2005年電子情報通信学会総合大会B-5-21」が利用できる。GB-FEQモジュール１４では、ガードバンドの量を増加させることにより、抑圧可能なマルチパス遅延時間を拡大することが可能である。【００１９】
つづいて、上記ガードバンドの制御処理を具体的に説明する。本実施の形態の無線通信システムは、図１に示すとおり変調器と復調器により構成され、変調器では、GB-Controlモジュール３が、ガードバンドの種別，位置，伝搬路のマルチパス遅延時間に適したガードバンド量を指示し、GB-Addモジュールが、GB-Controlモジュール３からの指示にしたがってガードバンドを付加する。一方、復調器では、GB-Controlモジュール１３が、ガードバンドの種別，位置，量を指示し、GB-FEQモジュール１４が、GB-Controlモジュール１３からの指示にしたがってガードバンドを用いた周波数等化を実現する。【００２０】
図２は、ガードバンドを付加した信号例を示す図であり、たとえば、マルチパス遅延時間が変化した場合の信号を示している。なお、図２において、横軸は時間：ｔを表し、縦軸は、上図がマルチパス遅延時間：Ｌcを表し、下図が周波数方向のサブキャリアを表している。また、図２上図に示すように、時間が進むにつれて、マルチパス遅延時間が「中→小→大」と変化している。
【００２１】
このとき、本実施の形態においては、図２下図に示すように、信号が、データ情報を含むＳｙｍとガードインターバルＧＩ（ガードインターバル長ＬGI）とガードバンドＧＢ（ガードバンド数ＬGB）から構成される。そして、ガードバンドは、「Ｌc≦ＬGI+ＬGB」を満たすようにマルチパス遅延時間Ｌcに応じて挿入される。図２においては、一例として、マルチパス遅延時間が「小」の場合にはガードバンドを挿入せず、「中」の場合には１箇所にガードバンドが挿入され、「大」の場合には２箇所にガードバンドが挿入される。
【００２２】
このように、本実施の形態においては、伝搬路におけるマルチパス遅延時間に応じてガードバンド量を変化させることとした。これにより、シンボル長を変化させない簡易なハードウェア構成で、到来するマルチパスの遅延時間の変化に追従できる。【００２３】
また、本実施の形態においては、たとえば、GI-Addモジュール６にてガードインターバルを付加しない場合であっても、GB-Addモジュール４にて付加するガードバンドによりマルチパスを抑圧することができる。
【００２４】
実施の形態２．
実施の形態２においては、前述した実施の形態１の特徴的な処理である「マルチパス遅延時間に応じてガードバンド量を変化させる」処理を、ＯＦＤＭＡ（Orthogonal  Frequency  Division  Multiplex  Access）方式に適用する。なお、本実施の形態のシステム構成については、前述した実施の形態１の図１と同様である。ここでは、前述した実施の形態１と異なる処理について説明する。【００２５】
図３は、ガードバンドを付加した信号例を示す図であり、たとえば、マルチパス遅延時間が変化した場合の信号を示している。本実施の形態においては、一例として、８本のサブキャリアに２ユーザが周波数分割多重され、Ｕｓｅｒ１とＵｓｅｒ２でそれぞれ異なったマルチパス遅延時間を有している場合を想定する。【００２６】
たとえば、本実施の形態では、時間とともに変化する２ユーザのマルチパス遅延時間の最大値を等化するために十分なガードバンドを挿入する。図３においては、マルチパス遅延時間Ｌcの最大値が「大→中→大」と変化しているため、付加するガードバンド数ＬGBは、「ガードバンド：２箇所→ガードバンド：１箇所→ガードバンド：２箇所」と追従している。【００２７】
このように、本実施の形態においては、ＯＦＤＭＡ方式に対応して、複数ユーザにおけるマルチパス遅延時間の最大値に応じてガードバンド量を変化させることとした。これにより、シンボル長を変化させない簡易なハードウェア構成で、到来するマルチパス遅延時間の変化に追従できる。【００２８】
実施の形態３．
実施の形態３においては、前述した実施の形態１の特徴的な処理である「マルチパス遅延時間に応じてガードバンド量を変化させる」処理を、ＯＦＣＤＭ（Orthogonal  Frequency  and  Code  Division  Multiplexing）方式またはＭＣ−ＣＤＭＡ（Multi-Carrier  -  Code  Division  Multiple  Access）方式に適用する。なお、本実施の形態のシステム構成については、前述した実施の形態１の図１と同様である。ここでは、前述した実施の形態１と異なる処理について説明する。【００２９】
図４は、ガードバンドを付加した信号例を示す図であり、たとえば、マルチパス遅延時間が変化した場合の信号を示している。本実施の形態においては、一例として、８本のサブキャリアに２ユーザが符号分割多重され、Ｕｓｅｒ１とＵｓｅｒ２でそれぞれ異なったマルチパス遅延時間を有している場合を想定する。なお、図４において、下図の縦軸は、多重数（Multiplexing）を表し、奥行きは、周波数方向のサブキャリア（sub-carrier）を表している。【００３０】
たとえば、本実施の形態では、時間とともに変化する２ユーザのマルチパス遅延時間の最大値を等化するために十分なガードバンドを挿入する。図４においては、マルチパス遅延時間Ｌcの最大値が「大→中→大」と変化しているため、付加するガードバンド数ＬGBは、「ガードバンド：２箇所→ガードバンド：１箇所→ガードバンド：２箇所」と追従している。【００３１】
このように、本実施の形態においては、ＯＦＣＤＭ方式またはＭＣ−ＣＤＭＡ方式に対応して、複数ユーザにおけるマルチパス遅延時間の最大値に応じてガードバンド量を変化させることとした。これにより、シンボル長を変化させない簡易なハードウェア構成で、到来するマルチパス遅延時間の変化に追従できる。【００３２】
実施の形態４．
図５は、本発明にかかる無線通信システムの構成例、すなわち、データ送信側の通信装置およびデータ受信側の通信装置の構成例を示す図であり、送信側の通信装置（変調器に相当）が、Data-Controlモジュール１ａと、GB-Controlモジュール３ａと、MCS-Controlモジュール７ａを備え、受信側の通信装置（復調器に相当）が、GB-Controlモジュール１３ａと、Data-Controlモジュール１５ａと、MCS-Controlモジュール１７ａを備えている。なお、前述した実施の形態１の図１と同一の構成については、同一の符号を付してその説明を省略する。ここでは、前述した実施の形態１と異なる処理について説明する。【００３３】
本実施の形態において、MCS-Controlモジュール７ａ，１７ａは、変調符号化則（ＭＣＳ：Modulation  and    Coding    Scheme）の指示を行うモジュールであり、予め設定された変調符号化則に基づいて、Data-Controlモジュール１ａ，１５ａおよびGB-Controlモジュール３ａ，１３ａにパラメータ指示を与える。このとき、各MCS-Controlモジュールは、伝搬路のマルチパス遅延時間に応じて、各Data-ControlモジュールおよびGB-Controlモジュールを制御する。具体的には、たとえば、TDD（Time  Division  Duplex）システムの場合には、自局受信信号から伝搬路のマルチパス遅延時間を推定し、FDD（Frequency  Division  Duplex）システムの場合には、相手局においてマルチパス遅延時間を推定し、フィードバックされたマルチパス遅延時間を得る。そして、伝搬路のマルチパス遅延の増加に応じて通信品質が劣化することを利用して、フレーム誤り率，最小２乗距離等の通信品質を推定するパラメータに基づいて、間接的にデータサブキャリア，ガードバンドを制御する。【００３４】
図６は、上記MCS-Controlモジュールで用いる変調符号化則の一例を示す図である。本実施の形態では、耐遅延能力を向上させるために、サブキャリア数を減少させ、ガードバンド数を増加させる制御を行う。なお、本実施の形態では、簡単化のために、ガードバンド数のみを軸に変調符号化則を作成しているが、変調方式，符号化率による変調符号化則を組み合わせることも可能である。【００３５】
つづいて、上記ガードバンドの制御処理を行う場合の通信装置の動作を図面にしたがって説明する。本実施の形態の無線通信システムは、図５に示すとおり変調器と復調器により構成され、変復調器内のMCS-Controlモジュール７ａ，１７ａが、それぞれ伝搬路のマルチパス遅延時間に応じて適応的に変調符号化則を選択する。そして、この符号化則に基づいて、各MCS-Controlモジュールが、使用サブキャリア数をData-Controlモジュールへ、使用ガードバンド数をGB-Controlモジュールへ、それぞれ指示する。【００３６】
このように、本実施の形態においては、耐遅延能力を向上させるために、サブキャリア数を減少させ、ガードバンド数を増加させる制御を行うこととした。これにより、前述した実施の形態１と同様の効果に加えて、さらに、伝搬路のマルチパス遅延時間が増大する場合に、サブキャリア数減少に伴う情報伝送速度の低下のトレードオフとして、耐マルチパス遅延時間を向上させることができる。【００３７】
実施の形態５．
図７は、本発明にかかる無線通信システムの構成例、すなわち、データ送信側の通信装置およびデータ受信側の通信装置の構成例を示す図であり、送信側の通信装置（変調器に相当）が、Rate-Controlモジュール８ｂを備え、受信側の通信装置（復調器に相当）が、Rate-Controlモジュール１８ｂを備えている。なお、前述した実施の形態４の図５と同一の構成については、同一の符号を付してその説明を省略する。ここでは、前述した実施の形態５と異なる処理について説明する。【００３８】
たとえば、MCS-Controlモジュール７ａ，１７ａは、予め設定された変調符号化則に基づいて、Rate-Controlモジュール８ｂ，１８ｂおよびGB-Controlモジュール３ａ，１３ａに対してパラメータ指示を与える。そして、Rate-Controlモジュール８ｂ，１８ｂは、上記指示に基づいて、Dataモジュール２およびDecモジュール１６で用いる符号化率を指示する。【００３９】
図８は、上記MCS-Controlモジュールで用いる変調符号化則の一例を示す図である。本実施の形態では、耐遅延能力を向上させるために、符号化率を増加させ、ガードバンド数を増加させる制御を行う。【００４０】
つづいて、上記ガードバンドの制御処理を行う場合の通信装置の動作を図面にしたがって説明する。図７に示すとおり変調器と復調器により構成され、変復調器内のMCS-Controlモジュール７ａ，１７ａが、それぞれ伝搬路に応じて適応的に変調符号化則を選択する。そして、この符号化則に基づいて、各MCS-Controlモジュールが、使用符号化率をRate-Controlモジュールへ、使用ガードバンド数をGB-Controlモジュールへ、それぞれ指示する。【００４１】
このように、本実施の形態においては、耐遅延能力を向上させるために、符号化率を増加させ、ガードバンド数を増加させる制御を行うこととした。これにより、前述した実施の形態１と同様の効果に加えて、さらに、伝搬路のマルチパス遅延時間が増大する場合に、符号化率増加に伴う誤り訂正能力の低下のトレードオフとして、耐マルチパス遅延時間を向上させることができる。
【産業上の利用可能性】
【００４２】
以上のように、本発明にかかる無線通信システムおよび通信装置は、マルチキャリア変復調方式を採用する通信システムおよび通信装置に有用であり、特に、伝搬路のマルチパス遅延時間が変化する通信環境で動作するデータ送信側の通信装置およびデータ受信側の通信装置に適している。
【図１】
0004611385.tif 000002
【図２】
0004611385.tif 000003
【図３】
0004611385.tif 000004
【図４】
0004611385.tif 000005
【図５】
0004611385.tif 000006
【図６】
0004611385.tif 000007
【図７】
0004611385.tif 000008
【図８】
0004611385.tif 000009
【図９】
0004611385.tif 000010